(57)【要約】本発明で提案されるのは、送金者の資金メモリから、金額受領者の口座ないしは資金メモリに、通信ネットワークおよびデータネットワークを介してリアルタイムに電子的な金額を伝送する方法であり、ここでは所要のデータの伝達がトランザクション番号（ＴＡＮ）に関連して行われる。
2004506997.tif 000002
【特許請求の範囲】
【請求項１】
例えばあらかじめ支払われた資金を有する送金者の資金メモリから、金額受領者の口座ないしは資金メモリに通信ネットワークおよびデータネットワークを介してリアルタイムに電子的な金額を伝送する方法において、
前記通信ネットワークにおける前記金額受領者の端末装置の少なくとも呼出番号と、該金額受領者の口座ないしは資金メモリの口座識別子とを含む金額受領者データセットを、トランザクションデータベースおよび／または資金管理データ
ベースに記憶し、ここで少なくとも呼出番号を前記トランザクションデータベー
スに記憶し、当該記憶は、例えば、サービス運用者にて金額受領者が金額伝送サービスに加入する枠内で行い、
前記送金者の少なくとも端末装置の呼出番号と、口座識別子と、選択的に送金者の認証データセットとを含む送金者データセットを、トランザクションデータベースおよび／または資金管理データベースに記憶し、
サーバ呼出番号または固有番号を利用して、金額受領者または送金者の端末装置と、サービス運用者のトランザクションサーバとの間のコネクションを確立し、
この際に該トランザクションサーバによって当該伝送過程に対して一義的なトランザクション番号を生成し、
該トランザクション番号を前記の金額受領者データセットおよび／または送金者データセットにアドレスとして対応付け、
該トランザクション番号をその都度の発呼者に伝達し、ならびに
金額伝送の相手、すなわち送金者ないしは金額受領者は、前記トランザクションサーバへの応答にて別のデータ、例えば認証データと共に当該トランザクション番号を返送し、
伝送すべき金額を金額受領者または送金者の端末装置で入力して前記トランザクションサーバに伝送し、
該トランザクションサーバによって、金額受領者データセットと、選択的には送金者データセットとを前記トランザクションデータベースからの読み出して評価し、これに含めて選択的に必要な１つまたは複数のデータコネクションを１つまたは複数の外部のアプリケーションに対して確立し、
送金者資金メモリの金額でまかなえるか否かをチェックして、まかなえる場合には金額を予約し、まかなえない場合にはシグナリングによって遮断し、
送金者資金メモリから金額を引き落として、当該引き落としを文書化し、
金額受領者口座ないしは金額受領者資金メモリに当該金額を入金して、当該入金を文書化し、
当該引き落としおよび／入金についての情報を、金額受領者および／または送金者の端末装置に伝達することを特徴とする、
電子的な金額を伝送する方法。
【請求項２】
前記トランザクション番号に、あらかじめ定めた有効期限を割り当てる、
請求項１に記載の方法。
【請求項３】
前記の伝送すべき金額を、サーバ呼出番号に関連して入力する、
請求項１または２に記載の方法。
【請求項４】
前記のトランザクションサーバによって、伝送すべき金額の入力の要求を、送金者および／または金額受領者に対して生成し、伝達し、また送金者および／または金額受領者の端末装置に出力し、
当該要求に応じて金額を各端末に入力する、
請求項１または２に記載の方法。
【請求項５】
前記の送金者データセットの認証データセットは、送金者の認証コードまたは生物測定学上のデータを含み、
引き落としのステップの前に、当該引き落としを認証するステップを実施し、すなわち：
認証コードまたは生物測定学上のデータを送金者がその端末装置で入力し、
当該認証コードまたはデータを前記トランザクションサーバに伝達し、
当該伝達されたデータと、送金者データセットに含まれていたデータとを比較して、一致している場合には引き落としイネーブル信号を出力し、一致しない場合には引き落とし遮断信号を出力する、
請求項１から４までのいずれか１項に記載の方法。
【請求項６】
あらかじめ定めた閾値を上回る金額の際に前記の認証のステップを実施し、
当該閾値を、例えばサービス運用者または送金者が調整する、
請求項５に記載の方法。
【請求項７】
送金者の資金メモリおよび／または金額受領者の口座ないしは金額受領者資金メモリが管理されている外部の少なくとも１つのサーバへのデータコネクションを確立するように実施し、ここで、
金額受領者データセットの口座識別子および／または送金者データセットの口座識別子にはサーバアドレスまたはサーバ呼出番号が含まれ、
トランザクションサーバは、金額受領者データセットおよび送金者データセットの読み出しの後、前記の外部の少なくとも１つのサーバに接続して後続のステップを実行する、
請求項１から６までのいずれか１項に記載の方法。
【請求項８】
サービス運用者における金額受領者の加入を、複数の口座および／または呼出番号によって行い、
例えば口座の数は、呼出番号の数より少なく、
すべての対応する口座識別子および呼出番号を前記金額受領者データセットに記憶する、
請求項１から７までのいずれか１項に記載の方法。
【請求項９】
前記トランザクション番号を、発呼者の端末装置またはこれに接続されたデータ処理装置ないしはレジに視覚的または音響的に表示する、
請求項１から８までのいずれか１項に記載の方法。
【請求項１０】
例えばあらかじめ支払われた資金を有する送金者の資金メモリから、金額受領者の口座ないしは資金メモリに通信ネットワークおよびデータネットワークを介してリアルタイムに電子的な金額を伝送する装置において、
送金者資金メモリおよび金額受領者口座ないしは金額受領者資金メモリを有する少なくとも１つの口座操作サーバと、
前記の通信ネットワークおよびデータネットワークに接続された金額受領者の端末装置と、
前記の通信ネットワークおよびデータネットワークに接続された送金者の端末装置と、
金額受領者データセットおよび送金者データセットが記憶されている、サービス運用者のトランザクションデータベースと、
トランザクションサーバとを有しており、
前記金額受領者データセットには、金額受領者の端末装置のトランザクション呼出番号および／または口座ないしは資金メモリの口座識別子が含まれており、
前記送金者データセットには、送金者の端末装置の呼出番号および／または資金メモリの口座識別子および選択的には認証データセットが含まれており、
前記トランザクションサーバは、トランザクションデータベースに接続されており、かつサーバ呼出番号または固有番号を介して送金者および／または金額受領者の端末装置に接続され、ならびにデータコネクションを介して１つまたは複数の口座操作サーバに接続されるか、または該１つまたは複数の口座操作サーバと一体となって実施されており、
該トランザクションサーバによって、トランザクションデータベースからないしは１つまたは複数の口座操作サーバから、金額受領者データセットおよび送金者データセットが読み出されて評価され、
前記トランザクションサーバによって、選択的に必要なデータコネクションが１つまたは複数の外部のアプリケーションに対して確立され、
前記トランザクションサーバによって、送金者資金メモリにてまかなえるか否かのチェック、ならびに該送金者資金メモリからの引き落としおよび金額受領者口座ないしは金額受領者資金メモリへの入金が制御され、
前記トランザクションサーバは、金額伝送過程を一義的に識別するトランザクション番号を形成する乱数発生手段と、該トランザクション番号をトランザクションデータベースの金額受領者データセットおよび／または送金者データセットに割り当てる結合手段とを有することを特徴とする、
例えば請求項１から９までいずれか１項に記載されている方法を実施するための、電子的な金額を伝送する装置。
【請求項１１】
前記トランザクションサーバは、前記トランザクション番号の有効期限を確認するためのタイマ手段を有しており、
該タイマ手段は当該トランザクション番号の形成時にスタートされる、
請求項１０に記載の装置。
【請求項１２】
前記のトランザクションデータベースおよび送金者資金メモリおよび／または金額受領者資金メモリはトランザクションサーバ上に実現されている、
請求項１０または１１に記載の装置。
【請求項１３】
前記トランザクションサーバは、引き落とし過程および入金過程を、例えばログレコードとして文書化する手段を有する、
請求項１０から１２までのいずれか１項に記載の装置。
【請求項１４】
前記トランザクションサーバには、トランザクションの遮断または引き落としおよび／または入金を、送金者および／または金額受領者の端末装置にシグナリングする通信手段が割り当てられている、
請求項１０から１３までのいずれか１項に記載の装置。
【請求項１５】
前記の通信ネットワークおよびデータネットワークには移動無線ネットワークが含まれており、
送金者の端末装置および／または金額受領者の端末装置は、移動無線端末装置または移動無線部分を備えるデータ処理装置として構成されており、
前記トランザクションサーバに移動無線端末装置が対応付けられている、
請求項１０から１４までのいずれか１項に記載の装置。
【請求項１６】
送金者の端末装置および／または金額受領者の端末装置は、トランザクション番号を表示する表示装置を備えているか、または有線または無線のインタフェース、例えば赤外線またはＢｌｕｅｔｏｏｔｈインタフェースを介して表示ユニットを有する装置に接続されている、
請求項１０から１５までのいずれか１項に記載の装置。
【発明の詳細な説明】
【０００１】
本発明は、電子的な金額を資金メモリから口座ないしは別の資金メモリに、通信およびデータネットワークを介して伝送する方法ならびに装置に関する。
【０００２】
インターネットは（いまや数億に達する人に対する通信手段および情報源として利用される一方で）ますますショッピングの供給源として重要性を獲得している。例えばソフトウェア、書籍および旅行の取引は今日すでにかなりの割合でインターネットにおいて行われているが、その他の商品およびサービス業の極めて多種多様なものもすでにインターネットを介して注文され支払いがなされることが多くなっている。インターネットにおいて相応するサービスに、元々確立されており今日なお広く広まっている手法で支払うためには、個々のトランザクションに対してではないにしても、少なくとも商談相手毎に関連する固有のデータセットをその都度入力しなければならない。このため、この支払い方法は商談相手に、知覚認識可能な個人データを見せることになり、ひいてはこの個人データが持続的に記憶されてしまう可能性がある。
【０００３】
ビジネスの領域ならびに個人の領域におけるその他の支払い過程の処理に対してもインターネットは最近、極めて重要になっている。工業国のほぼすべての銀行が、「電子バンキング」として口座操作（Ｋｏｎｔｏｆｕｅｈｒｕｎｇ）および支払い過程の電子処理を提供している。
【０００４】
それにもかかわらず日常生活における支払い過程の多くは今日でもなお現金によって、または振替ないしは徴収指示（Ｅｉｎｚｕｇｓａｕｆｔｒａｇ）などを文書で配布することによって、またはクレジットないしはキャッシュカードによって行われている。固有の分野、例えば移動無線技術の分野では、電子的な金額（いわゆる「プリペイドカード」）が重要性を増しているが、この支払い手段を広く導入するためには極めて多くの障害がある。
【０００５】
以上をすべてをひっくるめて確認され得るのは、今日の発展の水準では商品またはサービス業務の支払いに全く見通すことのできないほどの多くの可能性があることであり、その処理は日常生活において多くの注意と、全く異なった媒体ないしは入力モードの扱いとを要することである。これは煩わしいことであり、さらに多様な安全についてのリスク（データないし金額担体を紛失する、口座データないしは認証コードを忘れるなど）に結び付いているのである。
【０００６】
インターネットとならんで通信（殊に移動通信）は、今日、技術的および経済に急速に発展している領域であり、また経済成長および新たな社会的発展の重要な源である。工業国の人間の大部分に対して移動電話（”Ｈａｎｄｙ”携帯）はますます広範な通信および情報手段になり、また商品およびサービス業へのアクセスに利用されることも多くなっている。この発展も、携帯を介して注文される情報、商品およびサービス業の、安全であると同時に簡単な支払いが十分にできないことによって妨げられているのである。
【０００７】
携帯の利用者（プリペイドカードを所有しているか否かにかかわらず）に支払いの認証を可能にする解決手段が確かにあり、ここでこの支払いは、引き続いて慣例のようにラストシュリフト方式（Ｌａｓｔｓｃｈｒｉｆｔｖｅｒｆａｈｒｅｎ）またはクレジットカード引き落としによって処理される。しかしながらこの手法が前提としているのは、インターネットにおいて今日定着した支払い処理と同様に、購入者がクレジットを受ける経済力を備えていること、およびクレジットカードまたは自由裁量信用貸し（Ｄｉｓｐｏｓｉｔｉｏｎｋｒｅｄｉｔ）を有する振替口座が自由に使用できる資格である。さらにこれらの手法には時間的なズレが内在しており、これは全体的な処理の透明性と信頼性に不利に作用する。
【０００８】
したがって本発明の課題は、データネットワークを利用して支払いの流れを簡単に処理する方法および装置を提供することである。
【０００９】
この課題は、その方法の観点からは請求項１の特徴部分に記載された特徴的構成を有する方法によって、その装置の観点からは請求項１０の特徴部分に記載された特徴的構成を有する装置によって解決される。
【００１０】
本発明に含まれる重要なアイデアは、電子的な資金（プリペイド口座ないしはプリペイドカード）ベースの極めて広範な支払い方法を提供して、いわゆるＢ２Ｃ（Ｂｕｓｉｎｅｓｓ−２−Ｃｏｎｓｕｍｅｒ）の領域においても、Ｃ２Ｃ（Ｃｏｓｕｍｅｒ−２−Ｃｏｎｓｕｍｅｒ）の領域においても適用可能であるようにすることであり、すなわちこの支払い方法によって、実際の店舗および仮想の店舗におけるショッピング、レストランまたは文化的な施設における支払いまたは自動販売機（Ｗａｒｅｎａｕｓｇａｂｅａｕｔｏｍａｔ）での支払いも、個人の領域における「送金」も共に可能にすることである。本発明にはさらにこのために、結合された通信およびデータネットワークの機能を利用するというアイデア、詳しくいうと例えばトランザクション番号（ＴＡＮ＝Ｔｒａｎｓａｋｔｉｏｎｓｎｕｍｍｅｒ）を利用してリアルタイム（Ｒｅａｌ Ｔｉｍｅ）で処理する機能を利用するアイデアが含まれる。
【００１１】
電子的な資金（ｅｌｅｋｔｒｏｎｉｓｃｈｅ Ｇｕｔｈａｂｅｎ）とは、ここでは通信ないしはデータネットワークを介して、支払いに関する流通を行うために処理可能なメモリ内容のことであると理解されたい。ここでこれは、このメモリに、実際に前もって支払われた資金があるか否か、または資金額が後の時点になってはじめて転送されるか否かとは全く無関係である。以下の説明および請求項では、金額を伝送することを希望し、（現実または仮想の）店舗において購入者になり、またレストランで客になるプリペイド資金の所有者を一般に「送金者」と称する。日常生活において大抵は店舗またはレストランまたは文化的施設などの所有者ないしは経営者である、上記の伝送すべき金額の受信者を以下では一般に「金額受領者」と称する。金額受領者および送金者はアプリケーションであることも可能である。
【００１２】
提案される装置および提案される方法の核心部分は、トランザクションデータベースにアクセスするトランザクションサーバであり、このトランザクションデータベースにプリペイド資金の伝送に関するデータが記憶されている。伝送過程は、トランザクションサーバにおける送金者または金額受領者の呼び出しによって開始され、詳しくいうとサービス呼出番号またはサービスの固有番号（例えば０９ｘｘ）で開始され、さらなるコネクションはトランザクションサーバそれ自体によって確立される。
【００１３】
伝送すべき金額は、送金者または金額受領者側でそれぞれの端末装置においてないしはこれに接続されたレジまたは別の入力装置において入力される。これは処理の流れの第２フェーズにおいて行うことも可能であり、この処理の流れではまずサーバの呼出番号を入力して呼び出し、送金者または金額受領者がアナウンスまたはメニューによるガイドを介して、金額を入力するように促される。この促しに基づいて、つぎに送金者または金額受領者は関連する入力を行うのである。
【００１４】
固有番号を利用してトランザクションサーバとのコネクションを確立する場合、発呼者（金額受領者または送金者）のスイッチにおけるいわゆるオリジネーティングトリガ（Ｏｒｉｇｉｎａｔｉｎｇ−Ｔｒｉｇｇｅｒ）を介してこの固有番号が識別され、サーバ（例えばインテリジェントネットワークのサービス制御センタ（ＳＣＰ））が制御され、要求されたプリペイドショッピングアプリケーションが起動される。
【００１５】
このアプリケーションの利用は、有利には加入（Ｓｕｂｓｋｒｉｐｔｉｏｎ）の枠内で金額受領者によって行われる。ここでは金額受領者は通常、銀行口座を提示し、この銀行口座に最終的に送金される。ここでこのお金は、プリペイドショッピングアプリケーションの枠内でその電子的資金メモリに伝送されるお金である。さらにトランザクション通貨を指定することが可能である。送金者にとっては、この金額伝送方式に対して加入する必要はない。しかしながら安全上の理由から有利には、あらかじめ定めた認証手段を利用した、金額伝送の認証が行われる。これについては下記を参照されたい。
【００１６】
金額受領者によって有利に行われる上記のサービスの加入も必ずしも必要ではない。しかしながら正式な加入がない場合は銀行とのコネクション（Ｂａｎｋｖｅｒｂｉｎｄｕｎｇ）が行うことができず、これによって、電子資金メモリ（「プリペイド口座」）に伝送された金額が、さらに転送できないようにする。さらに通貨を指定しないことが可能であるため、適用が通常、送金者または金額受領者の国において有効な通貨に制限される。このような構成ではこの方法は殊に個人間の送金に有利である（「Ｃ２Ｃ」）。
【００１７】
トランザクションサーバへの１つまたは複数のコネクションを確立した後、所要の入力および出力を、一方では音声コネクションを介して、音声入力またはＤＴＭＦ入力および音声出力により行うことができ、また他方ではテキストメッセージの交換（例えばＳＭＳまたはＥメール）を介して行うことができ、またはこれの組み合わせを用いて行うこともできる。
【００１８】
上記の加入過程により、金額受領者に関連するデータセットが、トランザクションデータベース（「ショッピングデータベース」）に格納される。金額受領者の口座は、電子的な資金の管理に有利なものでなければならない。ここでこれは例えば同様にプリペイド口座とすることも可能である。金額受領者は複数の電話番号と、金額伝送のために複数の目標口座とを利用することができ、この場合には当然のことながら使用する電話番号およびすべての口座の口座識別子がショッピングデータベースに格納することができる。（「口座識別子」という語は、以下では口座番号ないしは口座コードおよび場合によっては必要な外部のサーバのサーバアドレスからなる総体であり、ここでこの外部のサーバに口座が管理されている。）トランザクションデータベースに記憶されている金額受領者データセットは、上記のデータの他、有利には氏名ないしは会社名を含む。
【００１９】
金額受領者の情報の他にショッピングデータベースは、有利には金額伝送に必要な送金者についての情報を含む。この送金者データセットは有利にはそのプリペイド口座の口座番号と、必要な場合にはこのプリペイド資金が管理されている外部のサーバのサーバアドレスと（この場合も以下で「口座識別子」と称することがある）、有利にはサーバ名および運用者名と、最後に認証データセットとを含み、ここでこれは少なくとも選択的でありかつ時として行われる、比較的高額な金額転送を認証するためものである。このデータセットの「アドレス」ないしは「キー」として有利には送金者呼出番号を使用する。
【００２０】
送金者データセットは別個のプリペイドデータベースに格納することも可能である。
【００２１】
本発明の方法の有利な１実施形態では、個々のトランザクションを特定するトランザクション番号を、個々の方法ステップに対する中心的な基準点として使用する。この番号はトランザクションサーバによって乱数として形成されかつあらかじめ設定した時間にわたって有効であり、ここではこの時間内に金額伝送過程が終了しなければならない。
【００２２】
トランザクション番号の適用についての詳細を以下に説明する。
【００２３】
送金者データセット内のすでに説明した認証データセットは、安全性についての重要なコンポーネントである。このデータセットには、例えば、認証コード（ＰＩＮなど）および／または送金者の生物測定学上のデータ（例えば、乳頭隆線パターン（Ｐａｐｉｌｌａｒｌｉｎｅｎｍｕｓｔｅｒ）または網膜パターン）が含まれ、このコードないしはこれらのデータは、金額伝送の場合によっては行われる認証に利用される。このコードないしはこれらのデータは、送金者の端末装置において、またはこれに対応付けられている入力装置において入力され、トランザクションサーバに伝送され、そこで相応して格納されているデータと比較される。この比較の結果でトランザクションがイネーブルされるか、または遮断される。
【００２４】
本発明の方法の有利な実施形態において、前記の認証ステップは、極めて少額の際には実施されず、あらかじめ定めた閾値を上回る金額の場合にのみ実施される。この閾値は有利にはサービス運用者または送金者自身で調整ないしは変更可能である。
【００２５】
提案された解決手段には、（１）　金額伝送方法のスタート、（２）　送金者における引き落とし、および（３）　金額受領者における入金の機能ブロックが含まれる。これらの機能ブロックは、同一のサーバ上でまたは別個のサーバ上で動作することができ、このサーバないしはこれらのサーバをまとめて「トランザクションサーバ」なる用語で表す。このサーバないしはこれらのサーバは、１サービス運用者において一元的に設けるか、またはこのサービス運用者において、または複数のサービス運用者においても複数のハードウェアで実装して設けることが可能である。プリペイドショッピングアプリケーションは（上ですでに述べたように）「ショッピングデータベース」にアクセスし、ここでこれは（具体的なネットワークおよびアプリケーションコンセプトに応じて）同様に１個所に一元的に設けるか、または複数の個所に分散して設けるか、または種々異なる個所に複数のコピーを設けることも可能である。
【００２６】
方法および装置が最も簡単に構成されるのは、送金者のプリペイド資金と、金額受領者の目標口座と、プリペイドショッピングアプリケーションそれ自体とが同一のサービス運用者において管理ないしは運用される場合である。そうでない場合、金額伝送についての決済（Ｃｌｅａｒｉｎｇ これはそのようなものとして公知である）を行わなければならない。この過程に対しては、引き落としおよび入金過程の際に作成される文書、例えばいわゆるログレコードとしての文書を使用可能である。
【００２７】
ここで提案される方法は、リアルタイムな方式として、公知の支払い処理方式よりも改善された透明性および信頼性を提供し、また殊にクレジットの枠のない人が利用可能である。利用者は、これから行われる金額伝送を十分にまかなえることを保証する、あらかじめ支払った資金を有するだけでよい。
【００２８】
これに加えて、提案されるシステムは、つぎのような重要な利点をもたらす。すなわち、プリペイド口座にある電子マネーは、特定の狭いサービス（殊に通話のサービス）の支払いだけに対して利用できるだけでなく、商品、サービス、情報などのあらゆる方式の現実の販売施設または仮想的な販売施設における支払いに対し多岐にわたって利用可能であるという利点がもたらされるのである。資金を前もって支払うことを介して、利用者は厳密に出費を管理することができ、意図しない負債が原理的に排除される。したがってこの方法は殊に未成年者に対しても（または完全な知的能力をもはや有していない老人に対しても）使用可能であり、これらの人たちに対してはこれまでこれに匹敵する適用は存在していなかった。種々異なる提供者の商品またはサービスの支払いに対して、もはやプリペイドカードまたプリペイド端末装置は不要であり、ただ１つのプリペイド呼出番号を記憶するだけでよい。
【００２９】
本発明の利点は、従属請求項ならびに図面に基づく以下の有利な実施例の説明に記載されている。ここで、
図１は、本発明の装置の第１実施形態を極めて簡略化した機能ブロック図を示しており、
図２は、第２実施形態の極めて簡略化した機能ブロック図を示しており、
図３は、第３実施形態の極めて簡略化した機能ブロック図を示しており、
図４は、提案したアプリケーションの重要なステップを図１に示した装置において概略的に示している。
【００３０】
ここで注意したいのは、図１においてつぎを前提としていることである。すなわちここではプリペイドショッピングアプリケーションは、金額受領者および送金者のプリペイド口座が管理されている同じサーバにおいて動作することを前提にしていることである。これに対して図２に示されているのは、送金者および金額受領者のプリペイド口座が、プリペイドショッピングアプリケーションが動作するサーバとは（同じ運用者Ｂ１の）別のサーバで管理される場合である。図３に示されているのは、プリペイドショッピングアプリケーションと、これによって処理されるプリペイド口座とが、別個の運用者Ｂ１，Ｂ２の別個のサーバにおいて管理されている場合である。図１〜３に示されているのは、トランザクションサーバＳＥＲＶＥＲが金額受領者の端末装置が呼び出される場合であり、金額受領者のスイッチとサーバとの間のコネクションを、送金者のスイッチとサーバとの間のコネクションで置き換えることによって図１〜３を変更すると、これらの図は、送金者によるトランザクションサーバの呼び出しの場合を示すことになる。
【００３１】
金額伝送過程は、金額受領者または送金者がトランザクションサーバＳＥＲＶＥＲにおいて呼び出すことによって開始される。ここではサーバ呼出番号に続き、（これとは星印（＊）によって分離されて）伝送すべき金額が、関連する通貨で、構造化されていない数字列として送金者または金額受領者の端末装置において入力される。別の変形実施形態ではトランザクションサーバの直接の電話番号を入力して、そこでプリペイドショッピングアプリケーションをスタートさせる。このために例えば端末装置のキーボードを利用する。しかしながらメニューガイドが相応に構成されていれば音声入力を行うことも基本的に可能である。価格の入力が選択過程に関連して行われない限り、プリペイドショッピングアプリケーションはアナウンスを行い、このアナウンスによって発呼者は価格を入力するように促される。これに基づいてつぎに発呼者は価格を入力する。
【００３２】
入力の後、トランザクションサーバによって乱数が形成され、これは金額伝送に対するトランザクション番号ＴＡＮとして使用される。この乱数が得られる数の範囲は十分に大きくなければならず、このトランザクションに対して見積もられた時間区間内に、運用者のドメイン（例えば国）において、トランザクション毎にＴＡＮが利用可能であるようにする。（例外的に乱数がもはや利用できない場合が発生してしまうようなことになれば、さらなる金額伝送は、タイムアウトによって１つのＴＡＮが再び解放されるまで延期しなければならない。）
キーないしはアドレスとしてのＴＡＮによって、発呼者（送金者または金額受領者）が入力した金額および自動または手動で伝送されたその電話番号がトランザクションデータベースに格納される。引き続きＴＡＮが発呼者に伝達される。この発呼者とトランザクションサーバとの間のコネクションはその後、遮断される。
【００３３】
つぎにこのＴＡＮが金額伝送の相手に別のパスで通知され、これは、例えば、金額受領者のレジまたは送金者のディスプレイにおける光学的な表示によって行われる。これに基づきこの金額受領者または送金者はトランザクションサーバを呼び出す。これもまたサーバ呼出番号を直接呼び出すことにより、またはすでに述べた固有番号によって行われる。前者の場合にはプリペイドショッピングアプリケーションはアナウンスを行い、ここでＴＡＮの入力が要求される。後者の場合、このＴＡＮは上記の固有番号に続いて（場合によっては星印で分離されて）入力される。ここでも送金者ないしは金額受領者のスイッチのオリジネーティングトリガを介して固有番号が識別され、トランザクションサーバが制御され、プリペイドショッピングアプリケーションがここで起動される。
【００３４】
ＴＡＮの入力が行われた後、トランザクションデータベースはこのＴＡＮによってアドレッシングされ、（ここでも自動または手動で伝送された）発呼者（送金者ないしは金額受領者）の呼出番号がデータセットに入力される。
【００３５】
トランザクションサーバ上のプリペイドショッピングアプリケーションは、金額伝送に必要なデータ（例えば金額受領者および送金者の電話番号および金額）を相応するサーバ上のプリペイドアプリケーションに転送する。これはトランザクションサーバそれ自体（図１）または同じ運用者の少なくとも１つのサーバ（図２）または別の運用者の少なくとも１つのサーバ（図３）とすることが可能である。アプリケーションは、別個のサーバのユニットにおいて分散されて動作することも可能である。
【００３６】
この金額伝送方式を開始するデータを伝達した後、まず、データ担体が有効でありかつ送金者のプリペイド口座の金額がこれから行われる伝送過程に対して十分であるか否かについてのチェックを行う。両者がイエスの場合、送金者に要求されるのは、伝送すべき金額の引き落としをＰＩＮの入力によって認可することである。
【００３７】
チェック過程の枠内で、プリペイドショッピングアプリケーションはショッピングデータベースにアクセスして金額受領者データセットおよび送金者データセットをそこに含まれている情報と共に読み出す。ここでこの情報は、１つまたは複数のサーバのいずれ（また１つまたは複数の運用者のいずれであるかも含めて）に金額受領者および送金者の口座があるかについての情報である。送金者のサーバは識別され、このサーバと、プリペイドショッピングアプリケーションが動作しているサーバとが異なる場合、この外部のサーバで動作するプリペイドショッピングアプリケーションに対するリアルタイムコネクションが確立される。
【００３８】
送金者のサーバ上のプリペイドショッピングアプリケーションにはチェックの要求が伝達され、これによって、送金者のプリペイド口座の電子的な資金がこれから行われる金額伝送をまかなえるか否かがチャックされる。まかなえない場合、この伝送は、金額受領者および／または送金者の端末装置への相応する指示信号によって中断される。伝送すべき金額が満たされている場合、この金額は、送金者のプリペイド口座において予約される。
【００３９】
引き続き送金者によるＰＩＮの入力によって上記の認可が行われる。入力されたＰＩＮは、送金者データセットに記憶されたＰＩＮと比較される。これが有効な場合、引き落とし過程が開始される。これが無効な場合、トランザクションはこの個所で中断され、ここでも相応する指示信号が伝達される。
【００４０】
続いて伝送すべき金額が、送金者のプリペイド口座から引き落とされる。この過程は、時間的にクリティカルであり、リアルタイムで行われる。送金者のプリペイド口座が、プリペイドショッピングアプリケーションと同じサーバにある場合、資金を直ちに（リアルタイムで）伝送すべき金額分減額することができる。口座が外部のサーバにある場合、この引き落とし要求はそこにあるプリペイドショッピングアプリケーションに行わなければならず、引き落としはその統制下で行われる。いずれの場合も引き落とし過程にわたってログレコードが作成され、金額受領者および／または送金者はレジシステムまたは呼出またはＳＭＳ等を介して引き落としの実施について情報を得ることができる。
【００４１】
続いて上記の伝送すべき金額が金額受領者の口座に入金される。この口座はプリペイド口座、リアルタイムのアカウントまたは通常の銀行の振替口座とすることができる。この過程は時間的にクリティカルではないが、最大限の信頼性で行われなければならない。ここでも引き落としに対して上で述べた変形実施形態を区別することができ、ここでこの区別はこの口座が外部のサーバで動作しているか否かに応じてなされる。入金過程に対してもログレコードが作成される。
【００４２】
本発明の実施は、上記の実施例、変形実施形態および様相に制限されることはなく請求項の枠内で同様に多数の変更が可能であり、ここでこれらの変更は、専門に即した扱いの枠内にあるものである。例えば上記の方法ステップは別の順番で行うことも可能である。
【００４３】
入力ステップの数を低減するため、送金者によるＴＡＮの入力過程と、ＰＩＮを用いた金額伝送過程の認可の入力過程とを単一のステップに組み合わせることも可能である。これに対する種々異なる可能性のうち２つについて示す。第１の例では、金額受領者が、伝送すべき金額を正しく入力したことを信用して、送金者がＴＡＮを入力した後すぐにそのＰＩＮも入力するのである。この金額は、さらなるチェックなしにまずそのプリペイド口座から引き落とされる。つぎに確認のため、伝送された金額が送金者に報される。金額が誤っている場合、送金者はＴＡＮと訂正コード（例えば価格「０」）とを新たに入力することによって金額伝送を訂正することができる。これはこのＴＡＮの有効期限内に行わなければならず、金額は元に戻る。第２の変形例では送金者は（それぞれ分離子によって区分して）ＴＡＮ、金額およびＰＩＮを伝達する。固有のシステムが、金額受領者による金額入力も予期している場合、トランザクションは一致した場合にだけ実行され、一致しない場合は、金額受領者および送金者に相応の知らせが行われて中断される。
【００４４】
請求された解決手段の固有の利点は、送金者が匿名のままでいることができ、また送金者と、金額受領者と、トランザクションサーバとの間で長い呼出電話番号を交換する必要がなく、短いＴＡＮだけを交換すればよいことである。これによってトランザクション過程の持続時間が短縮され、入力の際の誤り率が低減される。金額受領者また送金者は各トランザクション時に一度だけトランザクションサーバを呼び出し、金額を入力するだけでよく、別の作業に対する時間を獲得するることができる。
【図面の簡単な説明】
【図１】
本発明の装置の第１実施形態を極めて簡略化して示す機能ブロック図である。
【図２】
第２実施形態の極めて簡略化された機能ブロック図である。
【図３】
第３実施形態の極めて簡略化された機能ブロック図である。
【図４】
提案されたアプリケーションの重要なステップを、図１に示した装置において概略的に示す図である。
【図１】
2004506997.tif 000003
【図２】
2004506997.tif 000004
【図３】
2004506997.tif 000005
【図４】
2004506997.tif 000006
【国際公開パンフレット】
2004506997.tif 000007
2004506997.tif 000008
2004506997.tif 000009
2004506997.tif 000010
2004506997.tif 000011
2004506997.tif 000012
2004506997.tif 000013
2004506997.tif 000014
2004506997.tif 000015
2004506997.tif 000016
2004506997.tif 000017
2004506997.tif 000018
2004506997.tif 000019
2004506997.tif 000020
2004506997.tif 000021
2004506997.tif 000022
2004506997.tif 000023
2004506997.tif 000024
2004506997.tif 000025
2004506997.tif 000026
2004506997.tif 000027
2004506997.tif 000028
2004506997.tif 000029
2004506997.tif 000030
2004506997.tif 000031
2004506997.tif 000032
【国際調査報告】
2004506997.tif 000033
2004506997.tif 000034
2004506997.tif 000035
2004506997.tif 000036
2004506997.tif 000037
2004506997.tif 000038